(57)【特許請求の範囲】
【請求項１】
背板（２０、４０）と、この背板（２０、４０）に取り付けられた一または複数の収納トレー（１０、３０）とからなり、前記背板（２０、４０）には、一対または複数対の縦スリット（２１ｂ、４１ｂ）が設けられ、前記収納トレー（１０、３０）は、受板（１１、３１）と、この受板（１１、３１）の後端に折り目線を介して連設される糊代部（１２、３２）と、この受板（１１、３１）の両側から立ち上がる側板（１４、３４）とを備え、この糊代部（１２、３２）を背板（２０、４０）に貼り付け、各側板（１４、３４）の後端に設けられた抜け止め部（１４ａ、３４ａ）を背板（２０、４０）の各縦スリット（２１ｂ、４１ｂ）に差し込むことで、収納トレー（１０、３０）は背板（２０、４０）に対して折り目線を中心に回動可能に取り付けられ、この回動により収納トレー（１０、３０）の引き出し状態と、収納トレー（１０、３０）の折り畳み状態とに切り替え可能とした陳列棚において、
前記収納トレー（１０、３０）に折り目線を介してロック板（１７、３７）を連設し、収納トレー（１０、３０）を引き出した状態でこのロック板（１７、３７）を回動させて、受板（１１、３１）と背板（２０、４０）との間につかえさせるにより、受板（１１、３１）の背板側への回動を阻止可能としたことを特徴とする陳列棚。
【請求項２】
上記収納トレー（１０）の受板（１１）の上方には、糊代部（１２）を介して天板（１５）が連設され、上記ロック板（１７）は、この天板（１５）の両側に折り目線を介して連設され、収納トレー（１０）を引き出した状態で、このロック板（１７）を側板（１４）内面側に回動させると、ロック板（１７）の先端縁（１７ａ）は受板（１１）を乗り越えて、受板（１１）よりも下方に突出するようにした請求項１に記載の陳列棚。
【請求項３】
上記ロック板（３７）は、上記受板（３１）の両側に折り目線を介して連設され、上記糊代部（３２）の幅は上記受板の幅よりも小さく、収納トレー（３０）を引き出した状態で、このロック板（３７）を側板（３４）内面側に回動させると、ロック板（３７）は糊代部（３２）と側板（３４）との隙間にはまり込む請求項１に記載の陳列棚。
【請求項４】
上記側板（１４、３４）に、側板（１４、３４）の外側からロック板（１７、３７）を操作するための指入れ孔（１４ｂ、３４ｂ）を設けた請求項１から３のいずれかに記載の陳列棚。
【発明の詳細な説明】
【技術分野】
【０００１】
この発明は、背板に対して、物品を収納する収納トレーを回動可能に取り付けた陳列棚であって、収納トレーを引き出した状態と折り畳んだ状態とに切り替え可能な陳列棚に関する。
【背景技術】
【０００２】
特許文献1には、背板と、この背板に取り付けられた一または複数の収納トレーとからなる陳列棚であって、背板には、一対または複数対の縦スリットが設けられ、収納トレーは、受板と、この受板の後端に折り目線を介して連設される糊代部と、この受板の両側から立ち上がる側板とを有し、糊代部を背板に貼り付け、各側板の後端に設けられた抜け止め部を背板の各縦スリットに差し込むことで、収納トレーを背板に対して取り付けた陳列棚が開示されている。
【０００３】
このような陳列棚は、折り目線を中心に収納トレーを回動させて、収納トレーの受板が背板とほぼ直角をなす引き出した状態と、収納トレーの受板が背板にほぼ当接する折り畳んだ状態とに容易に切り替えることができ、保管時や運搬時のような不使用状態では折り畳んでおける利点を有する。
【０００４】
ところが、この従来の陳列棚には、収納トレーは引き出された状態で、固定されていないため、棚に衝撃がかかると、収納トレーがその衝撃で回動し、収納物が落下破損する危険がある。
【特許文献１】特開２０００−１４５００号公報
【発明の開示】
【発明が解決しようとする課題】
【０００５】
そこで、この発明の解決すべき課題は、上記したような収納トレーを背板に対して回動可能に構成した陳列棚において、収納トレーを引き出した状態でロックできるようにすることである。
【課題を解決するための手段】
【０００６】
上記した課題を解決するため、この発明の陳列棚では、収納トレーに折り目線を介してロック板を連設し、収納トレーを引き出した状態でこのロック板を回動させて、受板と背板との間につかえさせるにより、受板の背板側への回動を阻止可能としたのである。
【０００７】
このように、ロック板を受板と背板の間につかえさせることによって、トレーを引き出した状態がロックされるため、陳列棚に衝撃がかかってもトレーが回動して収納物が落下破損することはない。
また、ロック板をふたたび回動させて、受板と側板の間から退避させると、ロック状態が解除されて収納トレーは回動可能になり、折り畳み状態に簡単に切り替えることができる。
【０００８】
具体的には、収納トレーの受板の上方に、糊代部を介して天板を連設し、上記ロック板を、この天板の両側に折り目線を介して連設し、収納トレーを引き出した状態で、ロック板を側板の内面側に回動させると、先端縁が受板を乗り越えて、受板よりも下方に突出する構成を採用するのが好ましい。
【０００９】
あるいは、ロック板を受板の両側に折り目線を介して連設し、糊代部の幅を上記受板の幅よりも小さくし、収納トレーを引き出した状態で、このロック板を側板内面側に回動させると、ロック板は糊代部と側板との隙間にはまり込む構成を採用するのが好ましい。
【００１０】
上記側板に、側板の外側からロック板を操作するための指入れ孔を設けると、孔に指を入れてロック板を回動操作するのが容易となり、収納トレーのロック状態とロック解除の切り替えが一層容易となる。
【発明の効果】
【００１１】
収納トレーを引き出した状態をロックできるロック板を設けたので、陳列棚に衝撃がかかっても、収納トレーが回動することはなく、収納物が落下する心配がない。
【発明を実施するための最良の形態】
【００１２】
図１に示す、第一の実施形態の陳列棚１は、３段の相似形の収納トレー１０を背板２０に取り付けることで形成されており、収納トレー１０、背板２０のそれぞれは、図２および図３に示す、厚紙を打ち抜くことで作製されるブランクから組み立てられる。
【００１３】
図２のように、収納トレー１０のブランクは、受板１１を中心に、その後端には、折れ線を介して糊代部１２が連設され、その前端には、折れ線を介して継代部１３が連設されている。
受板１１は、そのほぼ中央に横長の飾り孔１１ｃが３つ並列して設けられ、この飾り孔１１ｃ間に連通する折れ線により、この受板１１は、後端側の底部１１ａと、前端側の起立部１１ｂに二分割されている。
【００１４】
また、起立部１１ｂの両側には、折れ線を介して弧状に湾曲する側板１４が連設されている。
各側板１４のほぼ中央には、折れ線が形成されて側板１４は半分に折り重ね可能となっており、また、弧の外縁のほぼ中央には、折れ線を介して抜け止め片１４ａが連設されており、この抜け止め片１４ａの前記折れ線と対応する位置には、切れ込みが形成されている。
【００１５】
また、糊代部１２の後端には、折れ線を介して天板１５が連設されており、この天板１５には、弧状の切れ込みが３つ並列して設けられている。
さらに、天板１５の両側には、折れ線を介してロック板１７が連設され、天板１５の後端には、折れ線を介して飾り板１６が連設され、飾り板１６の先端縁は装飾のために波状に形成されている。
【００１６】
図４および図５を参照して、収納トレー１０の展開状態からの組み立てを説明する。
図示のように、まず受板１１の底部１１ａと起立部１１ｂの境界の折れ線を折り曲げる。
次いで受板１１と糊代部１２の境界の折れ線と、糊代部１２と天板１５の境界の折れ線をそれぞれ折り曲げることで、受板１１（底部１１ａと起立部１１ｂ）と糊代部１２と天板１５とを四角筒形に折り丸める。
そして、受板１１前端の継代部１３を天板１５の後端に貼り付ける。
【００１７】
つぎに、各側板１４の中央の折れ線で側板１４を半分に折り重ねて貼り合わせ、天板１５と飾り板１６の境界の折れ線で飾り板１６を受板１１側に折り曲げる。
また、天板１５の弧状のスリット１５ａに区画される部分は、受板１１側に没入させることで、天板１５に開口を形成する。
こうして、収納物を、天板１５の開口を通じて受板１１上に載置する収納トレー１０が作製される。
【００１８】
図３のように、背板２０のブランクは、背板本体２１を中心に、その両側には、折れ線を介して内から順に、内板２２、中板２３、外板２４の短冊状の各板が連設され、この中板２３には、通孔２３ａが長手方向に３つ並列して設けられている。
また、背板２０の中央部上寄りには、対の紐孔２１ａが設けられており、背板２０の両側には、前記通孔２３ａと対応する位置にであって、内板２２との境界近辺に縦スリット２１ｂが設けられている。
【００１９】
さらに、図１等を参照して、背板２０の展開状態からの組み立てを説明する。
背板本体２１と内板２２との境界の折れ線および内板２２、中板２３、外板２４間の折れ線を折り曲げ、これら内板２２、中板２３、外板２４を三角筒形に折り丸める。
そして、外板２４を背板本体２１に貼り付けることで、この三角筒を背板本体２１に固定する。
こうして三角筒により補強された背板２０が作製される。
【００２０】
さらに、組み立てられた背板２０への、組み立てられた収納トレー１０の取り付けを説明する。
図１のように、収納トレー１０の側板１４の抜け止め片１４ａが連設された後端部分を背板２０の縦スリット２１ｂにそれぞれ差込み、収納トレー１０の糊代部１２を背板本体２１に貼り付ける。
ここで、図６のように、半分に折り重ねた抜け止め片１４ａは、側板１４との境界をなす折れ線で、互いに離反する方向に折り曲げると、側板１４の縦スリット２１ｂからの脱落を一層防止できる。
なお、背板２０の三角筒は、縦スリット２１ｂに対応する位置が、通孔２３ａにより開口しているため、側板１４と三角筒が干渉することはない。
こうして、陳列棚１が完成する。
収納トレー１０の側板１４は弧状であるから、図示のように、側板１４の、背板本体２１とトレー１０の受板１１との境界部分には、側板１４の外側から指を入れることのできる指入れ孔１４ｂが形成される。
【００２１】
この完成した陳列棚１を使用する際には、化粧品等の収納物を収納トレー１０の天板１５の開口を通して受板１１上に載置し、背板２０の紐孔２１ａに紐を通して吊り下げることで陳列する。
【００２２】
ここで、収納トレー１０は背板２０への取り付け状態において、その糊代部１２は背板本体２１に貼り付けられているが、その側板１４は縦スリット２１ｂに差し込まれているだけである。
そのため、図６の鎖線および実線で示すように、側板１４は背板本体２１の前後にスライド可能であり、収納トレー１０は、受板１１と糊代部１２の境界の折れ線を中心に背板２０に対して回動可能となっている。
【００２３】
したがって、図７に示すように、収納トレー１０を回動させて、その受板１１および天板１５を背板本体２１に当接させ、さらに飾り板１６を受板１１に重ね合わせ、背板２０の裏面においては、側板１４と受板１１の境界の折れ線を折り曲げて、側板１４を背板２０に折り重ねることで、陳列棚１は板状に折り畳むことが可能である。
このようにして、運搬保管時などの陳列棚１の不使用時には、折り畳んで省スペースを図ることができる。
また陳列棚１を再び使用する際には、側板１４を背板２０から起立させ、収納トレー１０を逆向きに回動させて、その受板１１が背板本体２１とほぼ垂直をなすまで引き出せばよい。
【００２４】
ここで、図６の実線で示すように、収納トレー１０を引き出した状態では、その天板１５の両側に連設されたロック板１７を側板１４の内面側に回動させる。
ロック板１７は、真っ直ぐのままでは受板１１に若干つかえるが、ロック板１７を撓ませて受板１１を乗り越えさせ、側板１４内面に当接させる。
この状態において、背板本体２１と受板１１との間に、ロック板１７がほぼ垂直をなしてつかえることとなるので、収納トレー１０が背板２０側に回動できないようにロックされる。
そしてこのとき、図示のようにロック板１７の先端縁１７ａは受板１１よりも下方に突出しているので、このロック状態は強固に維持される。
そのため、陳列棚１の使用時に衝撃等が加わっても、収納トレー１０がぐらつかず、その結果、収納物が落下破損することがなく安全である。
【００２５】
このロック板１７を、ふたたび天板１５側に回動させると、ロック状態が解除され、収納トレー１０は回動可能となり、陳列棚１を折り畳むことができる。
この際には、側板１４の外側から指を指入れ孔１４ｂに入れて、ロック板を内側に押し込むと、容易にロック状態を解除することができる。
【００２６】
図８に示す、第二の実施形態の陳列棚２は、３段の相似形の収納トレー３０を背板４０に取り付けることで形成されており、収納トレー３０、背板４０のそれぞれは、図９および図１０に示す、厚紙を打ち抜くことで作製されるブランクから組み立てられる。
【００２７】
図９のように、収納トレー３０のブランクは、受板３１を中心に、その後端には、折れ線を介して糊代部３２が連設され、その前端には、折れ線を介して飾り板３６が連設されており、飾り板３６の先端縁は装飾のため波型に形成されている。
また、受板３１の両側には、折れ線を介してロック板３７が連設され、ロック板３７には、内フラップ３７ｂと外フラップ３７ｃが連設されている。
受板３１は、その前端寄りに横長の飾り孔３１ｃが３つ並列して設けられ、この飾り孔３１ｃ間に連通する折れ線により、この受板３１は、後端側の底部３１ａと、前端側の起立部３１ｂに二分割されている。
また、図示のように、糊代部３２の幅は、受板３１の幅よりも若干狭く形成されている。
【００２８】
さらに、起立部３１ｂの両側には、折れ線を介して弧状に湾曲する側板３４が連設されている。
各側板３４のほぼ中央には、折れ線が形成されて側板３４は半分に折り重ね可能となっており、また、弧の外縁のほぼ中央には、折れ線を介して抜け止め片３４ａが連設されており、この抜け止め片３４ａの前記折れ線と対応する位置には、切れ込みが形成されている。
【００２９】
図１１および図１２を参照して、収納トレー３０の展開状態からの組み立てを説明する。
図示のように、まず受板３１の底部３１ａと起立部３１ｂの境界の折れ線を折り曲げて起立部３１ｂを斜めに起立させ、同様にして、糊代部３２はほぼ垂直に起立させる。
同様にロック板３７も適宜起立させておき、その内フラップ３７ｂをロック板３７の外側に折り重ねて貼り合わせ、その外フラップ３７ｃを内側に鉤状に折り曲げておく。
さらに、各側板３４の中央の折れ線で側板３４を半分に折り重ね、貼り合わせる。
こうして、収納物を受板３１上に載置する収納トレー３０が作製される。
【００３０】
図１０のように、背板４０のブランクは、背板本体４１を中心に、その両側には、折れ線を介して内から順に、内板４２、中板４３、外板４４の短冊状の各板が連設され、この中板４３には、通孔４３ａが長手方向に３つ並列して設けられている。
また、各内板４２の上寄りには、紐孔４２ａが設けられており、背板４０の両側（内板４２との境界の折れ線上）には、前記通孔４３ａと対応する位置に、縦スリット４１ｂが設けられている。
【００３１】
図８等を参照して、この背板４０の展開状態からの組み立てを説明する。
背板本体４１と内板４２との境界の折れ線および内板４２、中板４３、外板４４間の折れ線を折り曲げ、これら内板４２、中板４３、外板４４を三角筒形に折り丸め、外板４４を背板本体４１に貼り付けることでこの三角筒を背板本体４１に固定する。
こうして三角筒により補強された背板４０が作製される。
【００３２】
さらに、組み立てられた背板４０への、収納トレー３０の取り付けを説明する。
図８のように、収納トレー３０の側板３４の抜け止め片３４ａが連設された後端部分を背板４０の縦スリット４１ｂにそれぞれ差込み、収納トレー３０の糊代部３２を背板本体４１に貼り付ける。
ここで、図１３のように、半分に折り重ねた抜け止め片３４ａは、側板３４との境界をなす折れ線で、互いに離反する方向に折り曲げると、側板３４の縦スリット４１ｂからの脱落を一層防止できる。
なお、背板４０の三角筒は、縦スリット４１ｂに対応する位置で通孔４３ａにより開口しているため、三角筒と側板３４とが干渉することはない。
こうして、陳列棚２が完成する。
【００３３】
ここで、収納トレー３０の側板３４は弧状であるから、図１３のように、側板３４の、背板本体４１とトレー３０の受板３１との境界部分には、側板３４の外側から指を入れることのできる指入れ孔３４ｂが形成される。
また、上述のように、糊代部３２の幅は、受板３１の幅よりも若干小さいため、陳列棚２の完成状態で、図１３に示すように、糊代部３２と側板３４との間には隙間が形成されている。
【００３４】
この完成した陳列棚２を使用する際には、化粧品等の収納物を収納トレー３０の受板３１上に載置し、背板４０の中板４２の紐孔４２ａに紐を通して吊り下げることで陳列する。
【００３５】
ここで、収納トレー３０は背板４０への取り付け状態において、その糊代部３２は背板本体４１に貼り付けられているが、その側板３４は縦スリット４１ｂに差し込まれているだけである。
そのため、側板３４は背板本体４１の前後にスライド可能であり、収納トレー３０は、受板３１と糊代部３２の境界の折れ線を中心に背板４０に対して回動可能となっている。
【００３６】
したがって、図１４に示すように、収納トレー３０を回動させて、その受板３１を背板本体４１に当接させ、さらに飾り板３６を受板３１に重ね合わせ、背板４０の裏面においては、側板３４と受板３１の境界の折れ線を折り曲げて、側板３４を背板４０に折り重ねることで、陳列棚２は板状に折り畳むことが可能である。
このようにして、運搬保管時などの陳列棚２の不使用時には、折り畳んで省スペースを図ることができる。
また陳列棚２を再び使用する際には、収納トレー３０を逆向きに回動させて、その受板３１が背板本体４１とほぼ垂直をなすまで引き出せばよい。
【００３７】
ここで、図１３に示すように、収納トレー３０を引き出した状態で、その受板３１の両側に連設されたロック板３７を側板３４の内面側に回動させ、上述した糊代部３２と側板３４との隙間（糊代部３２と側板３４との隙間に背板本体４１の板面が露出して、糊代部３２との段差が形成されている部分）にはめ込む。
この状態において、背板本体４１と受板３１との間に、ロック板３７がほぼ垂直をなしてつかえることとなるので、収納トレー３０が背板４０側に回動できないようにロックされる。
【００３８】
また、このとき、図示のように、ロック板３７の外フラップ３７ｃは糊代部３２の外縁に、鉤状に引っかかるようになっているので、ロック板３７の倒れが防がれ、このロック状態は強固に維持される。
そのため、陳列棚２の使用時に衝撃等が加わっても、収納トレー３０がぐらつかず、その結果、収納物が落下破損することがなく安全である。
【００３９】
このロック板３７を、ふたたび受板３１側に回動させると、ロック状態が解除され、収納トレー３０は回動可能となり、陳列棚２を折り畳むことができる。
この際には、側板３４の外側から指を指入れ孔３４ｂに入れて、ロック板３７を内側に押し込むと、容易にロック状態を解除することができる。
特に、図１３のように、指入れ孔３４ｂには、ロック板３７の内フラップ３７ｂが臨んでいるため、押し込みやすく操作が一層楽になる。
【図面の簡単な説明】
【００４０】
【図１】第一の実施形態の陳列棚の全体斜視図
【図２】収納トレーの展開図
【図３】背板の展開図
【図４】収納トレーの組み立て途中図
【図５】収納トレーの組み立て完成図
【図６】陳列棚のロック板近辺の拡大斜視図
【図７】陳列棚の折り畳み状態における（ａ）は前面から見た斜視図、（ｂ）は裏面から見た斜視図
【図８】第二の実施形態の陳列棚の全体斜視図
【図９】収納トレーの展開図
【図１０】背板の展開図
【図１１】収納トレーの組み立て途中図
【図１２】収納トレーの組み立て完成図
【図１３】陳列棚のロック板近辺の拡大斜視図
【図１４】陳列棚の折り畳み状態における（ａ）は前面から見た斜視図、（ｂ）は裏面から見た斜視図
【符号の説明】
【００４１】
１  第一の実施形態の陳列棚
１０  収納トレー
１１  受板
１１ａ  底部
１１ｂ  起立部
１１ｃ  飾り孔
１２  糊代部
１３  継代部
１４  側板
１４ａ  抜け止め片
１４ｂ  指入れ孔
１５  天板
１５ａ  弧状スリット
１６  飾り板
１７  ロック板
１７ａ  先端縁
２０  背板
２１  背板本体
２１ａ  紐孔
２１ｂ  縦スリット
２２  内板
２３  中板
２３ａ  通孔
２４  外板
２  第二の実施形態の陳列棚
３０  収納トレー
３１  受板
３１ａ  底部
３１ｂ  起立部
３１ｃ  飾り孔
３２  糊代部
３４  側板
３４ａ  抜け止め片
３４ｂ  指入れ孔
３６  飾り板
３７  ロック板
３７ｂ  内フラップ
３７ｃ  外フラップ
４０  背板
４１  背板本体
４１ｂ  縦スリット
４２  内板
４２ａ  紐孔
４３  中板
４３ａ  通孔
４４  外板
【図１】
0005085991.tif 000002
【図２】
0005085991.tif 000003
【図３】
0005085991.tif 000004
【図４】
0005085991.tif 000005
【図５】
0005085991.tif 000006
【図６】
0005085991.tif 000007
【図７】
0005085991.tif 000008
【図８】
0005085991.tif 000009
【図９】
0005085991.tif 000010
【図１０】
0005085991.tif 000011
【図１１】
0005085991.tif 000012
【図１２】
0005085991.tif 000013
【図１３】
0005085991.tif 000014
【図１４】
0005085991.tif 000015